(57)【要約】      （修正有）【課題】被切断板材を直角又は所望角度をなす斜線に簡便に切断することのできる建築用定規を提供する。【解決手段】幅木形状の板片の中央部から側方へ延びる円孤状の分度器板を連設した直線又は所望角度の斜線切断部材の上部を二等辺三角形状の板本体の頂角付近に枢支軸で擺動可能に連結し、分度器板に円孤状の長孔を設けて板本体に立設した分度器板固定具を長孔内に遊嵌し、板本体の底辺に沿って幅木形状の板片からなる定角斜線切断部を形成し、板本体の他方の斜辺の縁部に沿って被切断板材の端部を押し当て固定する幅木形状の係止部材を設けると共に通孔を設け棒片を進退自在に挿通した。【選択図】図１
0003143939.tif 000002
【実用新案登録請求の範囲】
【請求項１】
二等辺三角形を呈する板本体の頂角付近に、幅木形状の板片と、その中央部から側方へ延びる円孤状の分度器板を連設した直線又は所望角度の斜線切断部材の上部を板本体の面上に枢支軸で擺動可能に連結すると共に、分度器板に円孤状の長孔を設けて板本体に立設した分度器板固定具を長孔内に遊嵌し、板本体の底辺に沿って幅木形状の板片からなる定角斜線切断部を形成し、板本体の他方の斜辺の縁部に沿って被切断板材の端部を押し当て固定する幅木形状の係止部材を設けると共に係止部材に通孔を設けて電動丸鋸刃の位置決めをする棒片を進退自在に挿通し、電動丸鋸の底部を直線又は所望角度の斜線切断部に沿って滑らせることで被切断板材を直線又は所望角度をなす斜線に切断し、又は定角斜線切断部に沿って滑らせることで被切断板材を定角をなす斜線に切断することを特徴とする建築用定規。
【考案の詳細な説明】
【技術分野】
【０００１】
本考案は建築用定規に関し、職人が板材を鋸で所望角度に切断するときに用いる定規である。
【背景技術】
【０００２】
板材等に切断線を墨入れし、墨入れ線に沿って鋸で切断する手法が周知である。
【０００３】
又、塀や手摺の上に取り付けられる笠木や、回り縁は直線状に取り付けられているとは限らず屈曲して取り付けられる場合も多い。このとき、隣接部を隙間なく当接させるには双方の切断角度を正確に測ることを要する。この切断角度を当接角度の２分の１に割り出し隙間なく当接させるため、リンク支点間の寸法が同一である一対のリンクを連結して笠木等の屈曲個所に添わせる当接リンク部材を構成すると共に、当接リンク部材に連結する同一寸法の一対の補助リンク部材と、各リンクの連結点にわたり線引部材を回動自在に連結して成る切断角度設定用定規がある。例えば特許文献１  
【特許文献１】実開平５−７８５０号公報
【考案の開示】
【考案が解決しようとする課題】
【０００４】
墨入れ手法は各屈曲個所の屈曲角度を測り、その都度、屈曲個所から直線の墨入れをしなければならない。
【０００５】
特許文献１の考案は、隣接する笠木等の構築部材の角度の２分の１の角度設定にのみ利用するものであり、板材等を所望の角度に設定して切断することはできない。
【課題を解決するための手段】
【０００６】
二等辺三角形を呈する板本体の頂角付近に、幅木形状の板片と、その中央部から側方へ延びる円孤状の分度器板を連設した直線又は所望角度の斜線切断部材の上部を板本体の面上に枢支軸で擺動可能に連結すると共に、分度器板に円孤状の長孔を設けて板本体に立設した分度器板固定具を長孔内に遊嵌し、板本体の底辺に沿って幅木形状の板片からなる定角斜線切断部を形成し、板本体の他方の斜辺の縁部に沿って被切断板材の端部を押し当て固定する幅木形状の係止部材を設けると共に、係止部材に電動丸鋸刃の位置決めをする棒片を進退自在に挿通し、電動丸鋸の底部を直線又は所望角度の斜線切断部に沿って滑らせることで被切断板材を直線又は所望角度をなす斜線に切断し、又は定角斜線切断部に沿って滑らせることで被切断板材を定角をなす斜線に簡便に切断することを目的とする。
【考案の効果】
【０００７】
作業台にコンパネ等の被切断板材を載せ、その上に本考案に係る建築用定規を載せ、被切断板材の端部を係止部材に押し当てて被切断板材を固定し、電動丸鋸を滑らせ被切断板材を所望の幅の板材に切断でき、又、斜め４５度の定角方向へ切断でき、又、所望角度の斜め方向へ切断して多様な形状の板材に容易に切断できる。
【考案を実施するための最良の形態】
【０００８】
図１は本考案を示す平面図。図２は直線又は所望角度の斜線切断部材を板本体の上面を摺動させて被切断板材を斜めに切断する状態を示す平面図。図３は平行四辺形に切断された被切断板材を示す平面図。図４は図１におけるＡ−Ａ断面図。図５は板本体の上面に着脱自在に取り付ける提げ手を示す斜視図。図６は図１におけるＢ−Ｂ断面図である。
【０００９】
その構成は、二等辺三角形を呈する板本体１の直交する一方の斜辺から幅木形状の板片を延ばした延出部２と、板本体１の底辺から幅木形状の板片を延ばした延出部３と、板本体１の直交する他方の斜辺の両面に沿って被切断板材４の端部を押し当てる幅木形状の係止部材５と、係止部材５の付近に覗き窓６と、提げ手７を着脱自在に取り付けるベルクロ８を板本体１に設ける。
【００１０】
幅木形状の板片の中央部から側方へ延びる円孤状の分度器板９を連設した直線又は所望角度をなす斜線切断部材１０を、板本体１の頂角付近の面上に枢支軸１１で擺動可能に連結すると共に分度器板９に円孤状の長孔９ａを設け、板本体１に分度器板固定具１２を立設して長孔９ａ内に遊嵌する。分度器板固定具１２は六角ナットから成り六角レンチを使用して締め付ける。分度器板９に設けた目盛１３により直線又は所望角度をなす斜線切断部材１０を板本体１の上面を所望の角度に擺動させ、分度器板固定具１２で固定する。電動丸鋸刃を被切断板材４に正確に当てるため係止部材５に通孔５ａを貫通し、位置決め用の棒片１５を通孔５ａに進退自在に挿通する。  
【００１１】
茲に擺動とは直線又は所望角度をなす斜線切断部材１０が枢支軸１１を支点として時計の振り子のように左右に振れ動くことを言う。
【００１２】
目盛１３は直線又は所望角度をなす斜線切断部材１０と、板本体１の底辺に沿って形成される定角斜線切断部１４にも付されている。
【００１３】
図１に示すように、例えばコンパネ材の被切断板材４を板本体１の裏面側に取り付けた幅木形状の係止部材５に、その端部を押し当てて作業台に載せ、矢印Ｘ方向から縦方向へ切断し、又、矢印Ｙ方向から斜め方向へ切断する。図３に示すように直線又は所望角度をなす斜線切断部材１０を斜め４５度の方向へ擺動させ分度器板固定具１２で固定し、直線又は所望角度をなす斜線切断部材１０に沿って矢印ａ方向へ切断すると共に、定角斜線切断部１４に沿って矢印ｂ方向へ切断すると平行四辺形に切断されるのである。尚、本考案は裏返して使用できるため、左利きの人も使用できる。
【図面の簡単な説明】
【００１４】
【図１】本考案を示す平面図。
【図２】直線又は所望角度の斜線切断部材を板本体の上面を摺動させて被切断板材を            斜めに切断する状態を示す平面図。
【図３】平行四辺形に切断された被切断板材を示す平面図。
【図４】図１におけるＡ−Ａ断面図。
【図５】提げ手を示す斜視図。
【図６】図１におけるＢ−Ｂ断面図。
【符号の説明】
【００１５】
１  板本体    ４  被切断板材  ５  係止部材  ５ａ  通孔  
９  分度器板  ９ａ  長孔  １０  直線又は所望角度をなす斜線切断部材
１１  枢支軸  １２  分度器板固定具  １３  目盛  
１４  定角斜線切断部  １５  棒片
【図１】
0003143939.tif 000003
【図２】
0003143939.tif 000004
【図３】
0003143939.tif 000005
【図４】
0003143939.tif 000006
【図５】
0003143939.tif 000007
【図６】
0003143939.tif 000008